(57)【要約】【課題】収納箱を構成する別々のケースを結合する止ねじよりも少ない個数の封印構造によって、収納部品への不正行為の防止と封印構造の不正破壊の把握と収納部品の再生とを図る。【解決手段】収納部品４がケースベース５に取り付けられ、ケースカバー６が収納部品４を覆いつつケースベース５に被せられ、複数の止ねじ７がケースカバー６を貫通してケースベース５に締結されることによって、収納箱１が収納部品４を内部に密封状に格納し、封印挿入孔８が封印突起９に嵌め込まれ、封印構造体３が１本の止ねじ７におけるケースカバー６の外側に存在する頭部１０を被覆し、封印突起９における封印構造体３のケースカバー６から離れる方向に突出した端部が封印挿入孔８よりも径方向に大きく押し潰されることによって押潰部として形成される。【選択図】図１
2006109972.tif 000002
【特許請求の範囲】
【請求項１】
収納箱、収納箱に一体に設けられた封印固着部、収納箱および封印固着部と別に形成された封印構造体を備え、収納箱に収納する収納部品が収納箱の一方を形成するケースベースに取り付けられ、収納箱のもう一方を形成するケースカバーが収納部品を覆いつつケースベースに被せられ、複数の止ねじがケースベースとケースカバーとを締結し、収納部品がケースベースとケースカバーとによって密封された内部空間に格納され、封印構造体が複数の止ねじのうちにおける少なくとも１本の止ねじの収納箱から外側に存在する頭部を被覆するように、封印構造体に形成された封印挿入孔と封印固着部に形成された封印突起とが互いに嵌め合わされ、封印突起における封印構造体から突出した端部が封印挿入孔よりも径方向に大きく押し潰される押潰部として形成されたことを特徴とする遊技機の収納箱封印装置。
【請求項２】
収納箱における封印固着部を設けるためのケースベースまたはケースベースと封印固着部とが光を透過する合成樹脂により一体に形成されたことを特徴とする請求項１記載の遊技機の収納箱封印装置。
【請求項３】
収納箱には止ねじの頭部を着座する頭部収納部が収納箱の外側面から内部に窪む窪みとして形成されたことを特徴とする請求項１記載の遊技機の収納箱封印装置。
【請求項４】
封印固着部は、収納箱に形成された止ねじのねじ部を挿入するためのねじ挿入孔を間に配置するようにねじ挿入孔の両側の位置で収納箱から外側に突出した相対峙する突壁と、これらの突壁から直線的に個別に突出した封印突起とを備え、突壁は、ねじ挿入孔を挟んで互いに相対峙する並列壁と、ねじ挿入孔から離れる方向に並列壁に連接された衝立壁とを備え、封印構造体は、相対峙する突壁を覆う大きさの方形板状な封印基板に封印突起を挿入するための封印挿入孔が形成された構造であることを特徴とする請求項１記載の遊技機の収納箱封印装置。
【発明の詳細な説明】
【技術分野】
【０００１】
本発明は、収納箱を構成する別々のケースを結合する止ねじよりも少ない個数の封印構造によって、収納部品への不正行為の防止と封印構造の不正破壊の把握と収納部品の再生とが図れる遊技機の収納箱封印装置に関する。
【背景技術】
【０００２】
遊技機の収納箱封印装置には、被覆側ケースと固定側ケースとが互いに正規の閉蓋状態となるように嵌め合わされると、被覆側ケースの規制片が固定側ケースのかしめ片に重ね合わされ、かしめ片のかしめ突起が規制片のかしめ孔を経由して規制片の上方に突出し、この突出部を熱かしめすることによって、熱かしめ部分が破壊されない限り、被覆側ケースと固定側ケースとによる正規の閉蓋状態が解除されることがないようすることが知られている（特許文献１の段落番号００１２乃至００１４、００１７参照）。しかしながら、固定側ケースと別に形成したかしめ片が固定側ケースにねじ止めされる複雑な構造であるうえ、被覆側ケースと固定側ケースとからなる収納箱の長い側部における中央部の１箇所で熱かしめを行う構造であるので、熱かしめした突出部を破壊しないように、収納箱における長い方の側部の両側をこじあけて、内部の電気部品に不正が行われるという欠点があった。上記と別な、基板ケースと台板とが互いに正規の閉蓋状態となるように嵌め合わされて止ねじで結合された後、止ねじの存在する基板ケースの凹部に封止栓を有機溶剤系接着剤で取り付け、凹部および止ねじの頭部を封止栓で密封することも知られている（特許文献２の段落番号００１３、００１４参照）。しかしながら、基板ケースと台板とを結合している４本の止ねじの全部を封止栓で密封する複雑な構造であるうえ、封止栓が有機溶剤系接着剤で基板ケースに結合しているために、収納箱封印装置が遊技店から使用済遊技機として廃棄処分されて回収され、この回収した収納箱封印装置を解体し、内部の電気部品を再生する場合、封止栓を取り除く作業に多大な労力と時間を要するので、その労力と時間を少なくしようとして、基板ケースを全体的に破壊した場合、内部の電気部品が損傷を受けて再生できなくなるという欠点があった。さらに、上記２つと別な、蓋体とボックス本体とが互いに正規の閉蓋状態となるように嵌め合わされて止ねじで結合された後、ホログラムシールを止ねじの頭部を覆い隠すように蓋体に接着することも知られている（特許文献３の段落番号００２８参照）。しかしながら、ホログラムシールが剥され、内部の電気部品に不正が行われた後、ホログラムシールが再び元の位置に接着された場合、収納箱封印装置を外側から見た人は、電気部品に不正が行われたか行われていないかを容易に把握することができないという欠点があった。
【特許文献１】特開平９−２３４２８１号公報
【特許文献２】特開平９−２９００５４号公報
【特許文献３】特開平１０−１６５６０６号公報
【発明の開示】
【発明が解決しようとする課題】
【０００３】
発明が解決しようとする問題点は、収納箱を構成する別々のケースを結合する止ねじよりも少ない個数の封印構造で、収納部品への不正行為を適切に防止することができず、封印構造が不正に破壊されたことを容易に把握することができず、ケースを破壊せずに封印構造を簡単に除去して収納部品を再生することができないという点である。
【課題を解決するための手段】
【０００４】
本発明に係る遊技機の収納箱封印装置は、収納箱、収納箱に一体に設けられた封印固着部、収納箱および封印固着部と別に形成された封印構造体を備え、収納箱に収納する収納部品が収納箱の一方を形成するケースベースに取り付けられ、収納箱のもう一方を形成するケースカバーが収納部品を覆いつつケースベースに被せられ、複数の止ねじがケースベースとケースカバーとを締結し、収納部品がケースベースとケースカバーとによって密封さされた内部空間に格納され、封印構造体が複数の止ねじのうちにおける少なくとも１本の止ねじの収納箱から外側に存在する頭部を被覆するように、封印構造体に形成された封印挿入孔と封印固着部に形成された封印突起とが互いに嵌め合わされ、封印突起における封印構造体から突出した端部が封印挿入孔よりも径方向に大きく押し潰される押潰部として形成されたことを最も主要な特徴とする。本発明に係る遊技機の収納箱封印装置では、収納箱における封印固着部を設けるためのケースベースまたはケースベースと封印固着部とが光を透過する合成樹脂により一体に形成されたり、収納箱には止ねじの頭部を着座する頭部収納部が収納箱の外側面から内部に窪む窪みとして形成されたり、封印固着部は、収納箱に形成された止ねじのねじ部を挿入するためのねじ挿入孔を間に配置するようにねじ挿入孔の両側の位置で収納箱から外側に突出した相対峙する突壁と、これらの突壁から直線的に個別に突出した封印突起とを備え、突壁は、ねじ挿入孔を挟んで互いに平行に相対峙する並列壁と、ねじ挿入孔から離れる方向に並列壁に連接された衝立壁とを備え、封印構造体は、相対峙する突壁を覆う大きさの方形板状な封印基板に封印突起を挿入するための封印挿入孔が形成された構造であったりしてもよい。
【発明の効果】
【０００５】
本発明に係る遊技機の収納箱封印装置は、収納部品がケースベースとケースカバーとによって密封された内部空間に格納され、封印構造体が複数の止ねじのうちにおける少なくとも１本の止ねじの収納箱から外側に存在する頭部を被覆し、封印挿入孔と封印突起とが互いに嵌め合わされ、封印突起における封印構造体から突出した端部が封印挿入孔よりも径方向に大きく押し潰されて押潰部として形成されるので、ケースベースとケースカバーとが互いに複数の止ねじで結合する構造であっても、最小個数である１個の止ねじを封印固定部と封印構造体とからなる封印構造で弛緩操作不能な状態に覆い隠し、押潰部が破壊されない限り封印構造体を封印固着部および収納箱から取り外し不能に支持し、止ねじで結合された収納箱を開くことができないように封印し、収納箱の外側から内部の収納部品への不正行為を防止することができ、押潰部が不正に破壊された場合、人が収納箱の外側から破壊箇所を見ることによって、押潰部が破壊されたか破壊されていないかを適切に把握することができ、収納箱封印装置が遊技店から使用済遊技機として廃棄処分されて回収され、この回収した収納箱封印装置を解体し、内部の電気部品を再生する場合、収納箱の外側から押潰部を封印構造体の外側面に沿う方向に簡単に破壊することができるという利点がある。本発明に係る遊技機の収納箱封印装置において、収納箱における封印固着部を設けるためのケースベースまたはケースベースと封印固着部とが光を透過する合成樹脂により一体に形成されれば、押潰部が破壊された場合、その破壊箇所が白濁するので、人が収納箱の外側から破壊箇所を見ることによって、押潰部が破壊されたか破壊されていないかを容易に把握することができるという利点がある。本発明に係る遊技機の収納箱封印装置において、収納箱には止ねじの頭部を着座する頭部収納部が収納箱の外側面から内部に窪む窪みとして形成されれば、封印固定部と封印構造体とからなる封印構造の収納箱から突出する寸法を小さくすることができる。本発明に係る遊技機の収納箱封印装置において、封印固着部は、収納箱に形成された止ねじのねじ部を挿入するためのねじ挿入孔を間に配置するようにねじ挿入孔の両側の位置で収納箱から外側に突出した相対峙する突壁と、これらの突壁から直線的に個別に突出した封印突起とを備え、突壁は、ねじ挿入孔を挟んで互いに平行に相対峙する並列壁と、ねじ挿入孔から離れる方向に並列壁に連接された衝立壁とを備え、封印構造体は、相対峙する突壁を覆う大きさの方形板状な封印基板に封印突起を挿入するための封印挿入孔が形成された構造であれば、封印基板の隅部が並列壁と衝立壁とから外側にはみだしている下部における隙間に、棒のような工具を挿入し、当該工具で封印基板の隅部を収納箱から離れる方向に持ち上げることによって、収納箱を破壊することなく、押潰部を簡単に破壊することができる。
【発明を実施するための最良の形態】
【０００６】
図１乃至図７は、発明を実施するための最良の形態である。図１は、遊技機の収納箱封印装置を分解して示す。図２のａ図は、封印固着部２と封印構造体３とからなる封印構造部分を分解して示す。図２のｂ図は、封印構造体３を図２の状態から裏返して示す。図３は、封印構造体３および封印構造部分における１本の止ねじを取り外した収納箱封印装置を示す。図４は、収納箱封印装置の組立工程を示す。図５は、封印固着部２に封印構造体３を押潰部４８で結合した断面を示す。図６は、ケースベース５とケースカバー６との関係を示す。図７は、収納箱封印装置を切断した断面を示す。
【０００７】
図１を参照し、遊技機の収納箱封印装置の構造について説明する。収納箱封印装置は、収納箱１、収納箱１に一体に設けられた封印固着部２、収納箱１および封印固着部２と別に形成された封印構造体３を備え、収納箱１に収納する収納部品４が収納箱１の一方を形成するケースベース５に取り付けられた状態において、収納箱１のもう一方を形成するケースカバー６が収納部品４を覆いつつケースベース５に被せられ、タッピングスクリューのような複数の止ねじ７がケースカバー６を貫通してケースベース５に締結されることによって、収納部品４がケースベース５とケースカバー６とによって密封された内部空間に格納され、封印構造体３における複数の封印挿入孔８が封印固着部２における複数の封印突起９に嵌め込まれ、封印構造体３が１本の止ねじ７におけるケースカバー６の外側に存在する頭部１０を被覆し、複数の封印突起９における封印構造体３のケースカバー６から離れる方向に突出した端部が封印挿入孔８よりも径方向に大きく押し潰されることによって押潰部４８（図５参照）として形成され、この形成された押潰部４８が破壊されない限り封印構造体３を封印固着部２およびケースカバー６から取り外し不能に支持し、封印構造体３が止ねじ７を弛緩操作不能に覆い隠し、止ねじ７で結合された収納箱１を開くことができないように封印する構造である。
【０００８】
収納箱封印装置の構成部品について詳述する。ケースベース５は、鉄系の金属板により、方形板状なベース基板１２の周縁から４つの側壁１３；１４；１５；１６をケースベース５の裏側の方向であるケースカバー６の方向にベース基板１２と直角となるように折り曲げ、相対峙する１組を構成する２つの側壁１３；１４のベース基板１２からの高さが相対峙するもう１組を構成する２つの側壁１５；１６のベース基板１２からの高さと同じであり、側壁１３；１４における側壁１５；１６の方向に位置する両端から突片１７をケースベース５の裏側の方向に直線的に個別に延設し、これら４つの突片１７からカバー取付足１８を内側の方向であるベース基板１２の方向に突片１７と直角となるように個別に折り曲げた、一体の形状に形成された構造である。
【０００９】
カバー取付足１８には、止ねじ７のねじ部１９を締結するための取付孔２０が個別に形成される。収納部品４は、画像表示器２１、画像表示器２１を制御する電気部品の実装された制御回路基板２２、画像表示器２１を駆動する電気部品の実装された駆動回路基板２３を備える。画像表示器２１は、画像を表示画面に電気的に表示形態を変えるように表示する液晶表示器のような面状表示器である。画像表示器２１は、表示画面をベース基板１２の方向である前側に向けて、ケースベース５に取り付けられる。制御回路基板２２および駆動回路基板２３は、画像表示器２１の裏側に配置されてケースベース５に取り付けられる。
【００１０】
ケースカバー６は、光を透過する無色で熱可塑性の有る合成樹脂により、方形板状なカバー基板２５の周縁から４つの側壁２６；２７；２８；２９をケースカバー６の前側の方向であるケースベース５の方向にカバー基板２５と直角となるよう延設し、カバー基板２５の四隅に止ねじ７のねじ部１９を挿入するためのねじ挿入孔３０と止ねじ７の頭部１０を収納する頭部収納部３１と封印固着部２とを設け、１つの側壁２９に複数の装置取付部３２を設けた、一体の形状に形成された構造である。４つの側壁２６乃至２９は、互いに連接される。カバー基板２５の前側には、前方に開口した角箱形の被覆空間３３が、カバー基板２５と４つの側壁２６乃至２９とで囲まれて形成される。カバー基板２５の一側には、カバー基板２５の前後方向に貫通する開口部３４が設けられる。開口部３４は、制御回路基板２２に実装された図外のコネクタを、ケースカバー６がケースベース５に被せられた場合に臨ませ、当該図外のコネクタに制御回路基板２２や駆動回路基板２３と別に形成された電気的な装置における図外のコネクタをケースカバー６の外側から嵌め込むための部分である。上記制御回路基板２２や駆動回路基板２３と別に形成された電気的な装置は、例えば、パチンコ機の遊技全般を制御するための制御装置である。
【００１１】
制御回路基板２２には、図示は省略したが、制御処理を実行するＣＰＵ、制御処理のためのプログラムや表示画面に表示するための画像データの書き込まれたＲＯＭ、ＣＰＵが制御処理を行う場合に必要な処理データを記憶するためのフラッシュＲＡＭ、ＣＰＵに対する入出力インターフェースなどの電気部品が実装される。装置取付部３２は、収納箱封印装置の収納箱１を遊技機としてのパチンコ機における遊技盤の裏側または遊技盤を格納する遊技機枠の裏側に取り付けるための部分であって、収納箱１を遊技盤または遊技機枠に固定するための固着具を挿入するための取付孔３５を備える。装置取付部３２の設けられた側壁２９、この側壁２９と対峙する側壁２８、カバー基板２５には、多数の放熱孔３６が形成される。相対峙する２つの側壁１３；１４；１５；１６における放熱孔３６は、ケースベース５とケースカバー６とが組み合わされた場合、ケースベース５におけるカバー取付足１８の設けられていない２つの側壁１５；１６と重なる部分にも存在する。放熱孔３６は、一部を図示し、全部を図示してない。
【００１２】
図２を参照し、頭部収納部３１と封印固着部２および封印構造体３の構造について説明する。図２のａ図において、頭部収納部３１は、ケースベース５とケースカバー６とを結合した止ねじ７の頭部１０がカバー基板２５の裏面より裏側に突出する寸法を少なくするために設けられた部分であって、ねじ挿入孔３０の周囲において、止ねじ７の頭部１０の外径よりも大きな内径を有し、カバー基板２５の裏面から内部に窪む窪みである。封印固着部２は、頭部収納部３１を間に配置するように頭部収納部３１の両側の位置でカバー基板２５の裏面から裏側に突出した相対峙する突壁３８と、これらの突壁３８から裏側に直線的に個別に突出した封印突起９とを備える。
【００１３】
突壁３８は、頭部収納部３１を挟んで互いに平行に相対峙する並列壁３９と、頭部収納部３１から離れる方向に並列壁３９の中央部に連接された衝立壁４０とを備える。封印突起９の位置する並列壁３９の裏面および衝立壁４０の裏面は、カバー基板２５の裏面と平行な１つの平面内に位置する。一方の突壁３８における並列壁３９の一端には、衝立壁４０と平行な方向に延びる延設壁４１と、延設壁４１の一端から裏側に向けて突出した位置決め壁４２とを備える。封印突起９は、突壁３８における並列壁３９と衝立壁４０との交差点に設けられる。封印突起９の突壁３８からの突出量は、封印構造体３における封印基板４５の封印挿入孔８の形成された部分の前後方向の厚さより大きな、寸法になっている。
【００１４】
図２のｂ図において、封印構造体３は、光を透過する無色な合成樹脂により、相対峙する突壁３８を覆う大きさの方形板状な封印基板４５に封印突起９を挿入するための封印挿入孔８を形成し、封印基板４５のケースカバー６の方向に向けられる前面に並列壁３９の間に配置される阻止壁４６を並列壁３９と平行する方向に離して形成し、封印基板４５の一隅に位置決め壁４２を受け止めるための位置決め部４７を切り欠いた、一体の形状に形成された構造である。阻止壁４６どうしの対向間隔は、封印構造体３が封印固着部２に取り付けられた場合、阻止壁４６がケースベース５とケースカバー６とを結合した止ねじ７の頭部１０に接触しない、寸法になっている。阻止壁４６における封印基板４５の前面から前側への突出量は、封印構造体３が封印固着部２に取り付けられた場合、阻止壁４６がケースカバー６におけるカバー基板２５の裏面に接触するかまたは接触する程度の、寸法になっている。
【００１５】
図１、図３、図４を参照し、収納箱封印装置の組立方について説明する。先ず、図１において、ケースカバー６の被覆空間３３における前側の開口がケースベース５の方向に向けられ、ケースカバー６がケースベース５に取り付けられた収納部品４を覆うようにケースベース５に被せられる。これによって、ベース基板１２の裏面とカバー基板２５の前面とが互いに前後方向で平行に向かい合い、側壁１３乃至１６が側壁２６乃至２９の内側に位置して互いに前後方向と直交する方向で平行に向かい合う。その後、複数の止ねじ７のねじ部１９が頭部収納部３１からねじ挿入孔３０を経由してカバー取付足１８の取付孔２０に個別に締結されることによって、止ねじ７の頭部１０が図３に示すようにねじ挿入孔３０の周囲における頭部収納部３１に着座し、ケースベース５とケースカバー６とが止ねじ７で結合される。図３は、封印固着部２における１本の止ねじ７が締結されていない形態を図示している。
【００１６】
次に、図４のａ図に示すように、封印固着部２における１本の止ねじ７がケースベース５とケースカバー６とを締結し、頭部１０が頭部収納部３１に着座された後、封印構造体３の阻止壁４６が封印固着部２の方向に向けられる。そのままの状態で、図４のｂ図に示すように、封印挿入孔８が封印突起９に嵌め込まれ、阻止壁４６が複数の突壁３８の間に挿入され、位置決め部４７と位置決め壁４２とが互いに嵌め合わされ、封印基板４５の前面が複数の突壁３８の裏面に接触する。そして、図４のｃ図に示すように、封印基板４５から突出した封印突起９が押し潰されて押潰部４８となる。
【００１７】
この押し潰しは、封印突起９が熱可塑性の合成樹脂から形成されていることから、加圧かつ加熱を封印基板４５から突出した封印突起９の真上から封印突起９に加えることによって行われる。その場合、合成樹脂を接合する超音波加工機を使用し、超音波振動している共振器の接合作用部を封印突起９の端面に押し付けることによって、接合作用部における超音波の伝播方向に振動している超音波振動が封印突起９の端面を真上から叩くように封印突起９に作用し、封印突起９における封印基板４５から突出した部分が封印基板４５の板面と平行な方向に広がるように押し潰されて押潰部４８となる。
【００１８】
図４のｃ図に示すように、押潰部４８が形成され、押潰部４８を破壊しない限り、封印構造体３が封印固着部２に取り外し不可能に結合されても、封印基板４５の隅部が並列壁３９と衝立壁４０とから外側にはみだしているので、収納箱封印装置が遊技店から使用済遊技機として廃棄処分されて回収され、この回収した収納箱封印装置を解体し、内部の電気部品を再生する場合、封印基板４５の隅部が並列壁３９と衝立壁４０とから外側にはみだしている下部における隙間に、仮想線で示すような棒のような工具５１を挿入し、当該工具５１で封印基板４５の隅部を収納箱１のカバー基板２５から離れる方向に持ち上げるようにすることによって、収納箱１を破壊することなく、押潰部４８を簡単に破壊することができる。
【００１９】
押潰部４８が破壊された後、ケースベース５とケースカバー６とを結合している止ねじ７を取り外し、ケースカバー６をケースベース５から取り外して、図１に示すように、収納箱１を開き、収納部品４を簡単に使用するように再生することができる。そして、収納部品４が正常に使用できるかできないかを電気的に検査し、収納部品４が正常に使用できる場合、前述した組立方で、ケースベース５と封印固着部２を備えたケースカバー６および封印構造体３により収納箱封印装置を組み立てる。この場合、封印固着部２を備えたケースカバー６および封印構造体３は新しい物を使う。
【００２０】
図５を参照し、押潰部４８が形成された封印固着部２の周囲の構造について説明する。ケースベース５とケースカバー６とを結合した１本の止ねじ７の頭部１０が封印構造体３で覆われ、押潰部４８が封印挿入孔８よりも径方向に大きく押し潰され、頭部１０の配置された封印基板４５とカバー基板２５との間の隙間が封印基板４５と突壁３８と阻止壁４６とで囲まれた空間となる。よって、収納箱封印装置の収納箱１が遊技盤または遊技機枠に取り付けられた場合において、押潰部４８が破壊されない限り封印構造体３を封印固着部２およびケースカバー６から離脱不能に支持し、封印構造体３が止ねじ７を弛緩操作不能に覆い隠し、止ねじ７で結合された収納箱１を開くことができない。頭部１０が頭部収納部３１に収納されているので、封印固着部２と封印構造体３とからなる封印構造の収納箱１から突出する寸法Ｈ１を小さくすることができる。
【００２１】
図６を参照し、ケースベース５の側壁１３；１４や突片１７およびカバー取付足１８とケースカバー６の側壁２６；２７との関係について説明する。ケースカバー６がケースベース５に被せられた状態において、側壁１４と側壁２７とが互いにベース基板１２の板面と平行な方向で全体的に前後方向に対向し、側壁１４の側と側壁２７の側とが中心となるように、ケースカバー６が矢印Ｘ方向に斜めに開けられた場合、側壁２６が突片１７とカバー取付足１８との連接部４９に接触する。よって、側壁２６が連接部４９に接触した時点において、それ以上、ケースカバー６が矢印Ｘ方向に移動せず、ケースカバー６が斜めに開けられることはない。そして、側壁２６が連接部４９に接触した場合にあっても、ケースカバー６の斜めに開けられた側において、側壁１３と側壁２６とが互いにベース基板１２の板面と平行な方向に対向しているように、側壁１３のベース基板１２からの高さＨ２と側壁２６のカバー基板２５からの高さＨ３とが設定されている。
【００２２】
よって、ケースカバー６がケースベース５に被せられ、ベース基板１２とカバー基板２５とが互いに平行となった状態において、ケースカバー６が前記のように斜めに開けられたとしても、側壁２６が連接部４９に接触した時点で、それ以上、ケースカバー６が斜めに開けられることがなく、側壁２６と側壁１３とが互いにベース基板１２の板面と平行な方向で重なり合っている。このため、図３に示すように、ケースベース５とケースカバー６とが互いに四隅における止ねじ７で結合される構造であっても、最小個数である１個の止ねじ７を封印固着部２と封印構造体３とからなる封印構造で弛緩操作不能な状態に覆い隠せば、押潰部４８が破壊されない限り、収納箱１の外側から内部の収納部品４におけるＣＰＵやＲＯＭならびにＲＡＭを不正改造品に交換するような不正行為を防止することができる。ベース基板１２に前後方向に貫通して形成された窓５０は、図１の画像表示器２１の表示画面に表示された画像を収納箱１の前側から見せるための開口である。
【００２３】
図７において、収納箱封印装置の収納箱１が遊技盤または遊技機枠に取り付けられる場合、ケースベース５のベース基板１２が遊技盤または遊技機枠の前側の方向に向けられるように、収納箱１が遊技盤または遊技機枠に取り付けられれば、遊技盤または遊技機枠を人が裏側から見た場合、押潰部４８が存在するか否かを把握することができる。そして、封印固着部２を備えたケースカバー６が光を透過する性質の有る合成樹脂により形成されているので、押潰部４８が破壊された場合、その破壊箇所が白濁するので、押潰部４８が破壊されていれば、上記見た人が収納箱１に対し何らかの不正行為が行われたものと適切かつ容易に判断することができる。また、ケースベース５を合成樹脂で形成してもよいが、ケースベース５が金属板により形成されているので、ケースベース５を合成樹脂で形成した場合に比べ、ケースベース５とケースカバー６との結合強度が高くなる。
【産業上の利用可能性】
【００２４】
収納部品４は、画像表示器２１が存在せず、制御に必要な電気部品の実装された制御基板だけでもよい。この場合、ケースベース５に窓５０を設ける必要はない。封印基板４５の隅部が並列壁３９と衝立壁４０とから外側にはみだしていない構造であっても、押潰部４８を封印基板４５の板面と平行する方向から図外の工具で押すことによって破壊することができる。封印固着部２と封印構造体３とからなる封印構造の収納箱１から突出する寸法Ｈ１は大きくなるものの、頭部収納部３１を設けなくてもよい。ケースベース５を合成樹脂により形成し、止ねじ７がケースベース５を貫通してケースカバー６に締結する構造とし、ケースベース５に封印固着部２を設けてもよい。
【図面の簡単な説明】
【００２５】
【図１】収納箱封印装置を示す分解斜視図（最良の形態）。
【図２】ａ図は封印構造を示す分解斜視図、ｂ図は封印構造体の裏側を示す斜視図（最良の形態）。
【図３】封印構造体および止ねじを取り外した収納箱封印装置を示す分解斜視（最良の形態）。
【図４】収納箱封印装置の組立工程を示す工程図（最良の形態）。
【図５】封印構造を示す組立断面図（最良の形態）。
【図６】ケースベースとケースカバーとの関係を示す断面図（最良の形態）。
【図７】収納箱封印装置の内部を示す断面図（最良の形態）。
【符号の説明】
【００２６】
１    収納箱
２    封印固着部
３    封印構造体
４    収納部品
５    ケースベース
６    ケースカバー
７    止ねじ
８    封印挿入孔
９    封印突起
１０  頭部
３０  ねじ挿入孔
３１  頭部収納部
３８  突壁
３９  並列壁
４０  衝立壁
４５  封印基板
４８  押潰部
【図１】
2006109972.tif 000003
【図２】
2006109972.tif 000004
【図３】
2006109972.tif 000005
【図４】
2006109972.tif 000006
【図５】
2006109972.tif 000007
【図６】
2006109972.tif 000008
【図７】
2006109972.tif 000009